(57)【要約】【課題】  笠木の外側の水切りにおける見付幅を細幅として、建造物のデザインにマッチしたものとする。【解決手段】  笠木２の天板内外の水切り２１の見付幅を２〜３ｃｍとして、水切り２１の内外端をコンクリート壁１から２〜３ｃｍ外側に突出し、水切り２１の下端をコンクリート壁１の上面の延長線上に配置するか、これよりやや下位に位置するように配置して、コンクリート壁１への雨水浸入を許容する一方、コンクリート壁１外側面への雨垂れとその痕跡の付着を防止する。細幅の見付であるため、笠木２の設置が建造物のデザインを損なうことがなく、デザインにマッチしたものとなる。新築又は既設建造物の改装に使用でき、また、手摺付きの笠木とすることもできる。【選択図】  図２
2012246698.tif 000002
【特許請求の範囲】
【請求項１】
コンクリート壁の上面に固定した複数箇所のベース金具にそれぞれホルダー金具を介して設置した笠木であって、該笠木の内外の見付面を２．５±０．５ｃｍの細幅とした断面Ｃ字状長尺に形成し、該笠木の外側見付面をコンクリート壁より外側に突出し且つ下端をコンクリート壁の上面の延長線上乃至これよりやや下位に位置するように設置して、該コンクリート壁への雨水浸入を許容する一方、コンクリート壁外側面への雨垂れとその痕跡の付着を可及的に防止してなることを特徴とする屋上パラペット、ベランダ手摺等の細幅見付笠木。
【請求項２】
上記コンクリート壁より外側に突出し且つ下端をコンクリート壁の上面の延長線上乃至これよりやや下位に位置する笠木の外側見付面を、その上記外側への突出幅を３±１ｃｍ、下位への突出幅を０乃至１．５ｃｍとしてなることを特徴とする請求項１に記載の屋上パラペット、ベランダ手摺の細幅見付笠木。
【請求項３】
上記ベース金具を、下向きコ字状の受座に一対の固定片を備えて形成し、該各固定片をコンクリート壁にアンカー固定し、上記ホルダー金具を該ベース金具の受座に載置固定したコンクリート壁を横断し内外端部に下向き係止片を備えて形成し、該ホルダー金具の係止片に上記笠木における内外見付面に対向方向に向けて突出配置した下部一対の係止条を引掛け係止して笠木の設置を行ってなることを特徴とする請求項１又は２に記載の屋上パラペット、ベランダ手摺の細幅見付笠木。
【請求項４】
上記笠木の下端のコンクリート壁の上面の延長線上乃至これよりやや下位の位置を、上記ベース金具とコンクリート壁上面間に介設したライナーによって定めてなることを特徴とする請求項１、２又は３に記載の屋上パラペット、ベランダ手摺の細幅見付笠木。
【請求項５】
上記介設したライナーの高さを変化することによってコンクリート壁上面の不陸吸収の調整を施してなることを特徴とする請求項４に記載の屋上パラペット、ベランダ手摺の細幅見付笠木。
【請求項６】
上記笠木が、該笠木を上下に貫通する支柱によって起立設置した手摺を備え、笠木上面に配置した化粧カバーによって上記支柱の笠木近傍位置を被覆してなることを特徴とする請求項１、２、３、４又は５に記載の屋上パラペット、ベランダ手摺の細幅見付笠木。
【請求項７】
上記コンクリート壁を、防水措置を施した防水コンクリート壁として手摺と機能分担してなることを特徴とする請求項１、２、３、４、５又は６に記載の屋上パラペット、ベランダ手摺の細幅見付笠木。
【請求項８】
上記笠木を、既設建造物のコンクリート壁に改装によって設置してなることを特徴とする請求項１、２、３、４、５、６又は７に記載の屋上パラペット、ベランダ手摺の細幅見付笠木。
【発明の詳細な説明】
【技術分野】
【０００１】
本発明は、屋上パラペット、マンションの廊下やベランダ手摺等のコンクリート壁に設置する笠木に関し、特に見付面を可及的に細幅とした細幅見付笠木に関する。
【背景技術】
【０００２】
この種の、コンクリート壁の上面に固定したベース金具に笠木ホルダー金具を介して設置した笠木として、ベース金具を断面コ字状とし、ホルダー金具を該ベース金具にスライド自在に係合載置してコンクリート壁を横断し前後の下向き突片の下端に外側に向けて突出した一対の支持突片を有する断面Ｕ字状とし、該ホルダー金具の一対の支持突片に、笠木の内外に見付面をなす幅広の垂下片の下部に対向方向に向けて突出配置した一対の固定片を載置し、支持突片の下面からのネジで螺着して、該笠木を設置したものとされている。
【先行技術文献】
【特許文献】
【０００３】
【特許文献１】特開平６ー２２０９６９号公報
【発明の概要】
【発明が解決しようとする課題】
【０００４】
この場合、笠木は、これを、コンクリート壁に対して強固にして安定且つ確実に設置することができるが、この種のコンクリート壁（一般に躯体にモルタル、タイル、レンガ、ＡＬＣ等の仕上を施してある）は、例えば１５ｃｍ程度以上の見込幅を有するから、これを基準とすると、上記特許文献１の図面に例示されるものは、垂下片の幅を１０ｃｍ程度乃至これを幾分下回る、例えば７〜８ｃｍをなす幅広の見付幅を有するものとされており、このように幅広の見付幅を有するものにあっては、建造物のデザインとマッチしない結果を招く傾向がある。
【０００５】
即ち、笠木は、建造物のデザイン要素をなすとともに上記コンクリート壁の雨水による劣化や雨水や直射日光によるクラック発生の防止等の保護機能を有するが、上記太幅の見付幅は、モルタル、タイル、レンガ、ＡＬＣ等の仕上を施した外装面に対して存在感が強く、特にアルミ等の金属製にして着色がなされたものは、建造物のデザインを損なったり、デザインに違和感を与えたりすることも多い。
【０００６】
本発明はかかる事情に鑑みてなされたもので、その解決課題とするところは、笠木としての必要機能を確保しつつ、可及的に細い見付幅を有することによって建造物のデザインに常にマッチし得るようにした細幅見付笠木を提供するにある。
【課題を解決するための手段】
【０００７】
上記課題に沿って検討した結果、例えば、見付幅を、極小化するように可及的に細幅化した３ｃｍ乃至それ以下のものとすれば、建造物に用いて笠木が存在感を主張することなく、建造物に対してすっきりした細ストライプのアクセントをなすものとすることが可能となり、新築、改装を問わずに歓迎されるものとなるとみられるところ、該見付幅を３ｃｍ乃至それ以下とすると、笠木はコンクリート壁にベース金具、ホルダー金具を用いて設置する必要があるため、笠木によるコンクリート壁との良好な納まりを確保できない、という問題を生じる。即ち、コンクリート壁の上部に雨水が浸入して、上記劣化やクラックの発生を招いてコンクリート壁の保護を充分になし得なくなって、笠木を設置しながら、その設置意義を喪失するに至り兼ねないという結果を招く。
【０００８】
しかし乍ら、笠木機能を検討するに、該機能は、上記コンクリート壁上部への雨水浸入を防止すること、コンクリート壁、特に雨水流下側の壁面への雨垂れとその痕跡付着の防止、更に上記建造物のデザイン要素としてのアクセント付与にあると認められるところ、上記コンクリート壁上部への雨水浸入は、該コンクリート壁に防水措置を施して、笠木との機能分担を行うことによって、これを許容することができるから、この観点から笠木機能を見直し、該機能を、上記雨水流下の雨垂れとその痕跡防止、デザイン要素としてのアクセント付与の２機能に限定単純化して、これら２機能を両立するように笠木を形成することによって、笠木としての必要機能を確保しつつ、可及的に細い見付幅を有することによって建造物のデザインに常にマッチし得るようにしたものであって、即ち、請求項１に記載の発明を、コンクリート壁の上面に固定した複数箇所のベース金具にそれぞれホルダー金具を介して設置した笠木であって、該笠木の内外の見付面を２．５±０．５ｃｍの細幅とした断面Ｃ字状長尺に形成し、該笠木の外側見付面をコンクリート壁より外側に突出し且つ下端をコンクリート壁の上面の延長線上乃至これよりやや下位に位置するように設置して、該コンクリート壁への雨水浸入を許容する一方、コンクリート壁外側面への雨垂れとその痕跡の付着を可及的に防止してなることを特徴とする屋上パラペット、ベランダ手摺等の細幅見付笠木としたものである。
【０００９】
請求項２に記載の発明は、上記に加えて、デザイン要素としての機能を確保しつつ、雨垂れとその痕跡付着を可及的有効且つ確実に防止し得るものとするように、これを、上記コンクリート壁より外側に突出し且つ下端をコンクリート壁の上面の延長線上乃至これよりやや下位に位置する笠木の外側見付面を、その上記外側への突出幅を３±１ｃｍ、下位への突出幅を０乃至１．５ｃｍとしてなることを特徴とする請求項１に記載の屋上パラペット、ベランダ手摺の細幅見付笠木としたものである。
【００１０】
請求項３に記載の発明は、同じく上記に加えて、上記機能を単純化した笠木を可及的簡易に構成し且つ確実にコンクリート壁に設置し得るものとするように、これを、上記ベース金具を、下向きコ字状の受座に一対の固定片を備えて形成し、該各固定片をコンクリート壁にアンカー固定し、上記ホルダー金具を該ベース金具の受座に載置固定したコンクリート壁を横断し内外端部に下向き係止片を備えて形成し、該ホルダー金具の係止片に上記笠木における内外見付面に対向方向に向けて突出配置した下部一対の係止条を引掛け係止して笠木の設置を行ってなることを特徴とする請求項１又は２に記載の屋上パラペット、ベランダ手摺の細幅見付笠木としたものである。
【００１１】
請求項４に記載の発明は、同じく上記に加えて、上記笠木の外側見付面の下端とコンクリート壁上面の延長線上乃至これよりやや下位とする位置関係を、コンクリート壁上面と上記ベース金具間にライナーを介設することによって、可及的簡易且つ確実に選択可能とするように、これを、上記笠木の下端のコンクリート壁の上面の延長線上乃至これよりやや下位の位置を、上記ベース金具とコンクリート壁上面間に介設したライナーによって定めてなることを特徴とする請求項１、２又は３に記載の屋上パラペット、ベランダ手摺の細幅見付笠木としたものである。
【００１２】
請求項５に記載の発明は、同じく上記に加えて、コンクリート壁の天端をなす上面長手方向に存在する不陸を、上記ライナーの高さを変化することによって吸収し、笠木とコンクリート壁上面の相対位置関係を長手方向に可及的同一化した納まりとして、笠木設置の可及的良好な外観を確保したものとするように、これを、上記介設したライナーの高さを変化することによってコンクリート壁上面の不陸吸収の調整を施してなることを特徴とする請求項４に記載の屋上パラペット、ベランダ手摺の細幅見付笠木としたものである。
【００１３】
請求項６に記載の発明は、同じく上記に加えて、上記可及的に細幅とした笠木を、該笠木上に金属製手摺を備えたものとするとともに該金属製手摺の支柱と笠木上面の納まりを外観良好のものとするように、これを、上記笠木が、該笠木を上下に貫通する支柱によって起立設置した手摺を備え、笠木上面に配置した化粧カバーによって上記支柱の笠木近傍位置を被覆してなることを特徴とする請求項１、２、３、４又は５に記載の屋上パラペット、ベランダ手摺の細幅見付笠木としたものである。
【００１４】
請求項７に記載の発明は、同じく上記に加えて、コンクリート壁を、上記笠木と機能分担したものとすることによって、従前の笠木機能を実質的に確保し得るものとするように、これを、上記コンクリート壁を、防水措置を施した防水コンクリート壁として手摺と機能分担してなることを特徴とする請求項１、２、３、４、５又は６に記載の屋上パラペット、ベランダ手摺の細幅見付笠木としたものである。
【００１５】
請求項８に記載発明は、同じく上記に加えて、既設建造物の既設コンクリート壁に笠木機能を付与する改装に用いて該既設建造物の資産価値を向上確保したものとするように、これを、上記笠木を、既設建造物のコンクリート壁に改装によって設置してなることを特徴とする請求項１、２、３、４、５、６又は７に記載の屋上パラペット、ベランダ手摺の細幅見付笠木としたものである。
【００１６】
本発明はこれらをそれぞれ発明の要旨として、上記課題解決の手段としたものである。
【発明の効果】
【００１７】
本発明は以上のとおりに構成したから、請求項１に記載の発明は、笠木機能を雨水流下の雨垂れとその痕跡防止、デザイン要素としてのアクセント付与の２機能に限定単純化して、これら２機能を両立するように笠木を形成することによって、笠木としての必要機能を確保しつつ、可及的に細い見付幅を有することによって建造物のデザインに常にマッチし得るようにした屋上パラペット、ベランダ手摺等の細幅見付笠木を提供することができる。
【００１８】
請求項２に記載の発明は、上記に加えて、デザイン要素としての機能を確保しつつ、雨垂れとその痕跡付着を可及的有効且つ確実に防止し得るものとすることができる。
【００１９】
請求項３に記載の発明は、同じく上記に加えて、上記機能を単純化した笠木を可及的簡易に構成し且つ確実にコンクリート壁に設置し得るものとすることができる。
【００２０】
請求項４に記載の発明は、同じく上記に加えて、上記笠木の外側見付面の下端とコンクリート壁上面の延長線上乃至これよりやや下位とする位置関係を、コンクリート壁上面と上記ベース金具間にライナーを介設することによって、可及的簡易且つ確実に選択可能とすることができる。
【００２１】
請求項５に記載の発明は、同じく上記に加えて、コンクリート壁の天端をなす上面長手方向に存在する不陸を、上記ライナーの高さを変化することによって吸収し、笠木とコンクリート壁上面の相対位置関係を長手方向に可及的同一化した納まりとして、笠木設置の可及的良好な外観を確保したものとすることができる。
【００２２】
請求項６に記載の発明は、同じく上記に加えて、上記可及的に細幅とした笠木を、該笠木上に金属製手摺を備えたものとするとともに該金属製手摺の支柱と笠木上面の納まりを外観良好のものとすることができる。
【００２３】
請求項７に記載の発明は、同じく上記に加えて、コンクリート壁を、上記笠木と機能分担したものとすることによって、従前の笠木機能を実質的に確保し得るものとすることができる。
【００２４】
請求項８に記載発明は、同じく上記に加えて、既設建造物の既設コンクリート壁に笠木機能を付与する改装に用いて該既設建造物の資産価値を向上確保したものとすることができる。
【図面の簡単な説明】
【００２５】
【図１】コンクリート壁への笠木の設置状態を示す部分斜視図である。
【図２】笠木の設置状態を示す縦断面図である。
【図３】他の例に係る金属製手摺設置の支柱と笠木の関係を示す縦断面図である。
【図４】笠木、支柱、化粧カバーの関係を示す手摺長手方向に沿う縦断面図である。
【図５】他の例に係る笠木の設置状態を示す縦断面図である。
【発明を実施するための形態】
【００２６】
以下図面の例に従って本発明を更に具体的に説明すれば、図１及び図２において、２は、屋上パラペット、マンションの廊下やベランダ手摺等のコンクリート壁１に設置した笠木であり、該笠木２は、コンクリート壁１の上面に固定したベース金具３にホルダー金具４を介してその設置を行ってあり、このとき、該笠木２の内外の見付面を２．５±０．５ｃｍの細幅とした断面Ｃ字状長尺に形成し、該笠木２の外側見付面をコンクリート壁１より外側に突出し且つ下端をコンクリート壁１の上面の延長線上乃至これよりやや下位に位置するように設置して、該コンクリート壁１への雨水浸入を許容する一方、コンクリート壁１外側面への雨垂れとその痕跡の付着を可及的に防止したものとしてある。このとき、上記コンクリート壁１を、防水措置を施した防水コンクリート壁として手摺と機能分担してあり、これによって上記コンクリート壁１上部への雨水浸入を許容し、該防水措置によってコンクリート壁１の保護機能を該コンクリート壁１自身が分担するようにしてある。
【００２７】
本例にあって、上記コンクリート壁１より外側に突出し且つ下端をコンクリート壁１の上面の延長線上乃至これよりやや下位に位置する笠木の外側見付面を、その上記外側への突出幅を３±１ｃｍ、下位への突出幅を０乃至１．５ｃｍとしてあり、また、上記ベース金具３は、これを、下向きコ字状の受座に一対の固定片を備えて形成し、該各固定片をコンクリート壁１にアンカー３１固定し、上記ホルダー金具４を該ベース金具３の受座に載置固定したコンクリート壁１を横断し内外端部に下向き係止片４１を備えて形成し、該ホルダー金具４の係止片４１に上記笠木２における内外見付面に対向方向に向けて突出配置した下部一対の係止条２２を引掛け係止して笠木２の設置を行ったものとしてある。
【００２８】
本例の笠木２は、例えば、アルミ押出材又はアルミ板加工材を用い、必要に応じて二次電解着色を施したアルミ製にして、幅広見込の天板と、該天板の内外両端に幅狭見付の水切り２１を一体に配置した、例えば、長さを４ｍ程度とした長尺のものとしてあり、このとき天板は、コンクリート壁１上面の外側に向けて下降傾斜した勾配に合わせて数度、例えば３度程度の勾配を付する一方、該天板内外の水切り２１を、外側で直角に該角度を加え、内側で直角から該角度を減じた各内角で天板両端から鉛直をなすように下向き突出し、コンクリート壁の勾配に拘わらず、雨水の水切りを鉛直方向に行うようにしてある。
【００２９】
本例にあって、該笠木２は、コンクリート壁１の見込より、内外にそれぞれ上記３±１ｃｍとし、内外合計で４〜８ｃｍ、本例にあっては内外に各２ｃｍの合計４ｃｍ幅広とした見込幅を有するものとしてあり、例えば笠木２設置対象のコンクリート壁１の見込１５ｃｍの場合に、該天板の見込幅は、これを１９ｃｍとしてある。このとき上記水切り２１の見付幅は、内外共に上記２．５±０．５ｃｍ、特に２ｃｍとした極小化の細幅をなすようにしてある。
【００３０】
このように形成した笠木２は、コンクリート壁１短手方向中間位置、本例にあっては中央位置に、センターを合わせて上記断面Ｓ字状のベース金具２の下片をアンカー３１によって固定し、その上片に載置した厚肉プレート状のホルダー金具４における、同じく上記中間位置、特に中央位置にセンターを合わせて、ホルダー金具３の上面からのネジ３２を上片のナット孔に螺入して、その載置固定を行ってある。該ベース金具２及びホルダー金具３は、例えば、笠木２の長手方向両端と中間に１ｍ程度のピッチで、これをコンクリート壁１に配置して長尺の笠木２を固定することによって、その設置を行ったものとしてある。
【００３１】
笠木２の固定は、例えば、その上記水切り２１の下端を対向方向に折曲して形成した上記下部一対の係止条２２を、上記ホルダー金具４位置で、その上記係止片４１に引掛け係止して、これを行うものとしてあり、本例にあって該引掛け係止は、該ホルダー金具４の形状を厚肉プレートを弓状に加工することによって下向きの弓状とし、その内外先端をそれぞれ下向きに傾斜した上記係止片４１とし、該ホルダー金具４にこれを被嵌するように笠木２を被せ、上記係止条２２を該係止片４１に対して、笠木２の素材弾性を利用してその引掛け係止を行うようにしてある。
【００３２】
このとき笠木２は自ずとそのセンターをコンクリート壁１の中間位置、特に中央位置に合わせ且つコンクリート壁１上面に合わせた勾配でその設置を行うものとなるところ、該笠木２はコンクリート壁１より上記内外に４ｃｍ幅広のものとしたから、該笠木２の各水切り２１、即ち内外側各見付面は、見込幅の１／２幅、即ち２ｃｍをコンクリート壁１の外側及び内側からそれぞれ内外側双方に向けて突出して天板から鉛直に垂下したものとしてその設置がなされるに至る。
【００３３】
このとき、上記笠木２の下端のコンクリート壁１の上面の延長線上乃至これよりやや下位の位置は、これを、上記ベース金具２とコンクリート壁１上面間に介設したライナー５によって定めたものとしてあり、これによって笠木２とコンクリート壁１の位置関係を可及的簡易且つ確実に選択可能としてあり、本例にあって該ライナー５は、楔状一対のものをベース金具２の外側下端に介設することによって、該ベース金具２の外側端部を上向きに回動して、そのコンクリート壁１への固定を行うようにして、上記水切り２１の鉛直垂下を維持しながら、その下端をコンクリート壁１上面の延長線上に位置するようにしてある。また、本例のライナー５を介設使用した笠木２において、更に、上記介設したライナー５の高さを変化することによってコンクリート壁１上面の不陸吸収の調整を施してあり、これによってコンクリート壁１の天端をなす上面長手方向に存在する不陸を、上記ライナー５の高さを変化することによって吸収し、笠木２とコンクリート壁１上面の相対位置関係を長手方向に可及的同一化した納まりとして、笠木２設置の可及的良好な外観を確保してある。
【００３４】
図３及び図４は他の例を示すもので、本例にあって、上記笠木２は、これが、該笠木２を上下に貫通する支柱６によって起立設置した手摺を備え、笠木２上面に配置した化粧カバー７によって上記支柱６の笠木２近傍位置を被覆したものとしてあり、これによって、該細幅とした見付を有する笠木２を、いわゆる手摺付き笠木とした例である。本例の上記支柱６は、コンクリート壁１における上記ベース金具３とホルダー金具４配置位置とは異なる長手方向所定位置にコンクリート壁１に下端を埋込み、笠木２に配置した透孔を介して該笠木２上に起立設置したものとしてある。
【００３５】
支柱６には、化粧カバー７を配置し、笠木２近傍位置を笠木２上面において被覆してあり、該化粧カバー７の被覆は、分割形成したアルミ鋳物製一対のカバー部材をジョイントによって一体化して、支柱６にネジ７１止めすることによって行ってあり、このとき笠木２の透孔下面には該透孔を囲繞するようにシーリング受８を配置し、これに配置したシーリング剤８１によって笠木２下面位置において該笠木２と支柱６間を封止することによって、該支柱６からの雨水の防水措置をなすものとしてある。
【００３６】
図５は同じく他の例を示すもので、本例にあって、上記笠木２の外側見付面の下端をコンクリート壁１の上面よりやや下位に位置するように設置した例、即ち、外側見付面によりコンクリート壁１をやや呑み込み状とするように、笠木２を設置した例である。このとき、上記ベース金具２、ホルダー金具３の部材を共通に用いる一方、上記ライナー５の介設を省略し、直付けするようにして、上記例に対してベース金具２の外側端部を下向きに回動して、笠木２の外側見付面の下端とコンクリート壁１との位置関係を上記呑み込み状に変化するように、笠木２の設置を行った例であり、このとき内側見付面の下端は上記コンクリート壁１の上面の延長線上乃至これより僅かに上方に位置するようにしてある。なお、笠木２は上記と同一のものを用い又は水切り２１の設置内角を変更したものを用いるものとすることにより、該水切り２１の鉛直乃至略鉛直の垂下をなし得るものとしてある。
【００３７】
以上の笠木２は、いずれも笠木機能を雨水流下の雨垂れとその痕跡防止、デザイン要素としてのアクセント付与の２機能に限定単純化して、これら２機能を両立するものとし、笠木２としての必要機能を確保しつつ、可及的に細い見付幅を有することによって建造物のデザインに常にマッチして、そのデザインとの調和を図ったものとすることができる。また、該笠木２は、建造物の新築及び改装を問わずにそのコンクリート壁１に設置することが可能であり、該笠木２を、既設建造物のコンクリート壁１に改装によって設置した場合を含めて、その建造物の資産価値を向上確保したものとすることができる。
【００３８】
図示した例は以上のとおりとしたが、本発明の実施に当って、コンクリート壁、ベース金具、ホルダー金具、笠木、水切り、必要に応じて用いるライナー、手摺、支柱、化粧カバー、防水措置等の各具体的形状、構造、材質、これらの関係、これらに対する付加等は、上記発明の要旨に反しない限り様々な形態のものとすることができる。
【符号の説明】
【００３９】
１  コンクリート壁
２  笠木
２１  水切り
２２  係止条
３  ベース金具
３１  アンカー
３２  ネジ
４  ホルダー金具
４１  下向き係止片
５  ライナー
６  支柱
７  化粧カバー
７１  ネジ
８  シーリング受
８１  シーリング剤
【図１】
2012246698.tif 000003
【図２】
2012246698.tif 000004
【図３】
2012246698.tif 000005
【図４】
2012246698.tif 000006
【図５】
2012246698.tif 000007